(57)【要約】【課題】フリッカおよび色むらを抑制しつつ、色再現性を更に向上できる電気光学装置、電気光学装置の駆動方法、および電子機器を提供すること。【解決手段】電気光学装置１は、複数の走査線１０と、複数のデータ線２０と、走査線１０およびデータ線２０の交差に対応して設けられた複数の画素と、を備え、複数の画素は、赤のカラーフィルタを有する画素と、緑のカラーフィルタを有する画素と、青のカラーフィルタを有する画素と、シアンのカラーフィルタを有する画素と、を有する。この電気光学装置１は、複数のフレームを基準フレームとし、画素は、各フレーム毎に、第１階調、あるいは、この第１階調より１つ階調レベルが高い第２階調で表示可能であり、複数のデータ線２０には、赤のカラーフィルタを有する画素および青のカラーフィルタを有する画素のうち互いに隣り合うものが空間周波数上で互いに逆位相となるように、画像信号が供給される。【選択図】図１
2007108615.tif 000002
【特許請求の範囲】
【請求項１】
複数の走査線と、複数のデータ線と、前記走査線および前記データ線の交差に対応して設けられた複数の画素と、を備える電気光学装置であって、
前記複数の画素は、赤のカラーフィルタを有する画素と、青のカラーフィルタを有する画素と、を含み、
複数のフレームを基準フレームとし、
前記画素は、各フレームごとに、第１階調、あるいは、この第１階調より１つ階調レベルが高い第２階調で表示可能であり、
前記複数のデータ線には、前記赤のカラーフィルタを有する画素および前記青のカラーフィルタを有する画素のうち互いに隣り合うものが空間周波数上で互いに逆位相となるように、画像信号が供給されることを特徴とする電気光学装置。
【請求項２】
複数の走査線と、複数のデータ線と、前記走査線および前記データ線の交差に対応して設けられた複数の画素と、を備える電気光学装置であって、
前記複数の画素は、緑のカラーフィルタを有する画素と、シアンのカラーフィルタを有する画素と、を含み、
複数のフレームを基準フレームとし、
前記画素は、各フレームごとに、第１階調、あるいは、この第１階調より１つ階調レベルが高い第２階調で表示可能であり、
前記複数のデータ線には、前記緑のカラーフィルタを有する画素および前記シアンのカラーフィルタを有する画素のうち互いに隣り合うものが空間周波数上で互いに逆位相となるように、画像信号が供給されることを特徴とする電気光学装置。
【請求項３】
請求項２に記載の電気光学装置において、
前記複数の画素は、赤のカラーフィルタを有する画素と、青のカラーフィルタを有する画素と、をさらに含み、
前記複数のデータ線には、前記赤のカラーフィルタを有する画素および前記青のカラーフィルタを有する画素のうち互いに隣り合うものが空間周波数上で互いに逆位相となるように、画像信号が供給されることを特徴とする電気光学装置。
【請求項４】
複数の走査線と、複数のデータ線と、前記走査線および前記データ線の交差に対応して設けられた複数の画素と、を備える電気光学装置であって、
前記複数の画素は、青から黄まで色相の中で選択された２種の色相の着色領域を有するカラーフィルタを有する画素を含み、
複数のフレームを基準フレームとし、
前記画素は、各フレームごとに、第１階調、あるいは、この第１階調より１つ階調レベルが高い第２階調で表示可能であり、
前記複数のデータ線には、前記２種の色相の着色領域のうち一方の着色領域を有するカラーフィルタを備えた画素および前記２種の色相の着色領域のうち他方の着色領域のカラーフィルタを備えた画素のうち互いに隣り合うものが空間周波数上で互いに逆位相となるように、画像信号が供給されることを特徴とする電気光学装置。
【請求項５】
請求項４に記載の電気光学装置において、
前記複数の画素は、赤系の色相の着色領域を有するカラーフィルタを備えた画素と、青系の色相の着色領域を有するカラーフィルタを備えた画素と、をさらに含み、
前記複数のデータ線には、前記赤系の色相の着色領域を有するカラーフィルタを備えた画素および前記青系の色相の着色領域を有するカラーフィルタを備えた画素のうち互いに隣り合うものが空間周波数上で互いに逆位相となるように、画像信号が供給されることを特徴とする電気光学装置。
【請求項６】
請求項１乃至５のいずれか１項に記載の電気光学装置を備えたことを特徴とする電子機器。
【請求項７】
複数の走査線と、複数のデータ線と、前記走査線および前記データ線の交差に対応して設けられた複数の画素と、を備える電気光学装置の駆動方法であって、
前記複数の画素は、赤のカラーフィルタを有する画素と、青のカラーフィルタを有する画素と、を含み、
複数のフレームを基準フレームとし、
前記画素は、各フレームごとに、第１階調、あるいは、この第１階調より１つ階調レベルが高い第２階調で表示可能であり、
前記赤のカラーフィルタを有する画素および前記青のカラーフィルタを有する画素のうち互いに隣り合うものが空間周波数上で互いに逆位相となるように、前記複数のデータ線に画像信号を供給することを特徴とする電気光学装置の駆動方法。
【請求項８】
複数の走査線と、複数のデータ線と、前記走査線および前記データ線の交差に対応して設けられた複数の画素と、を備える電気光学装置の駆動方法であって、
前記複数の画素は、緑のカラーフィルタを有する画素と、シアンのカラーフィルタを有する画素と、を含み、
複数のフレームを基準フレームとし、
前記画素は、各フレームごとに、第１階調、あるいは、この第１階調より１つ階調レベルが高い第２階調で表示可能であり、
前記緑のカラーフィルタを有する画素および前記シアンのカラーフィルタを有する画素のうち互いに隣り合うものが空間周波数上で互いに逆位相となるように、前記複数のデータ線に画像信号を供給することを特徴とする電気光学装置の駆動方法。
【請求項９】
請求項８に記載の電気光学装置の駆動方法において、
前記複数の画素は、赤のカラーフィルタを有する画素と、青のカラーフィルタを有する画素と、をさらに含み、
前記赤のカラーフィルタを有する画素および前記青のカラーフィルタを有する画素のうち互いに隣り合うものが空間周波数上で互いに逆位相となるように、前記複数のデータ線に画像信号を供給することを特徴とする電気光学装置の駆動方法。
【請求項１０】
複数の走査線と、複数のデータ線と、前記走査線および前記データ線の交差に対応して設けられた複数の画素と、を備える電気光学装置であって、
前記複数の画素は、青から黄まで色相の中で選択された２種の色相の着色領域を有するカラーフィルタを有する画素を含み、
複数のフレームを基準フレームとし、
前記画素は、各フレームごとに、第１階調、あるいは、この第１階調より１つ階調レベルが高い第２階調で表示可能であり、
前記複数のデータ線には、前記２種の色相の着色領域のうち一方の着色領域を有するカラーフィルタを備えた画素および前記２種の色相の着色領域のうち他方の着色領域のカラーフィルタを備えた画素のうち互いに隣り合うものが空間周波数上で互いに逆位相となるように、画像信号を供給することを特徴とする電気光学装置の駆動方法。
【請求項１１】
請求項１０に記載の電気光学装置の駆動方法において、
前記複数の画素は、赤系の色相の着色領域を有するカラーフィルタを備えた画素と、青系の色相の着色領域を有するカラーフィルタを備えた画素と、をさらに含み、
前記複数のデータ線には、前記赤系の色相の着色領域を有するカラーフィルタを備えた画素および前記青系の色相の着色領域を有するカラーフィルタを備えた画素のうち互いに隣り合うものが空間周波数上で互いに逆位相となるように、画像信号を供給することを特徴とする電気光学装置の駆動方法。
【発明の詳細な説明】
【技術分野】
【０００１】
本発明は、例えば、液晶などの電気光学物質を用いた電気光学装置、この電気光学装置の駆動方法、およびこの電気光学装置を有する電子機器に関するものである。
【背景技術】
【０００２】
従来より、画像を表示する液晶装置などの電気光学装置が知られている。この電気光学装置は、例えば、バックライト、複数の走査線、複数のデータ線、ならびに、これら走査線およびデータ線の交差に対応して設けられた複数の画素電極およびスイッチング素子を有する第１の基板と、この第１の基板に対向して設けられた第２の基板と、第１の基板と第２の基板との間に設けられバックライトからの光を制御する液晶と、を備えている。
ここで、電気光学装置には、上述した複数の画素電極およびスイッチング素子に対応して設けられた複数の画素からなる表示領域が形成されている。また、複数の画素は、赤（Ｒ）のカラーフィルタを有する画素と、緑（Ｇ）のカラーフィルタを有する画素と、青（Ｂ）のカラーフィルタを有する画素と、を含んでいる。
【０００３】
上述の電気光学装置によれば、以上の３種類の画素に画像信号を供給して、液晶シャッタを制御する。バックライトから光が射出されると、この光は、画素で制御された液晶シャッタを通過した後、表示領域全面に照射される。表示領域の各画素に入射した光は、カラーフィルタを通過して射出される。
【０００４】
ところで、近年、電気光学装置の色再現性の向上が要請されている。そこで、以下のような方法が知られている。
第１に、カラーフィルタを１種類追加して、画素の種類を４種類とした電気光学装置がある（特許文献１参照）。この電気光学装置によれば、４種類の画素により、色域を拡大できるから、色再現性を向上できる。
【０００５】
第２に、画素の１フレームあたりの点灯時間を決定することにより中間階調を表示する方法がある。
すなわち、まず、第１階調および第２階調の２種類の階調表示が可能な画素を含んで液晶パネルを構成し、これらの画素を複数まとめて１つのブロックとし、このブロックを構成する画素を第１群および第２群に分ける。そして、第１群に属する画素を、基準周期に亘って第１階調または第２階調のいずれかで点灯させる一方、第２群に属する画素を、第１階調および第２階調のいずれかで点滅させる（例えば、特許文献２参照）。
【０００６】
この特許文献２で示された中間階調を表示する方法を用いた電気光学装置によれば、各画素の階調レベルを変化させるだけでなく、ブロックを構成する画素の点灯時間を制御することで、基本表示階調の数を増加させることなく、多階調表示が可能となるから、色再現性を向上できる。
【特許文献１】特開２００２−００６３０３号公報
【特許文献２】特開２００３−１２２３１２号公報
【発明の開示】
【発明が解決しようとする課題】
【０００７】
ところで、近年、更なる色再現性の向上が要請されている。
そこで、画素が有するカラーフィルタを４種類に増やし、この画素の１フレームあたりの点灯時間を決定することにより中間階調を表示することが考えられる。しかしながら、この場合、４種類の画素の１フレームあたりの点灯時間を決定するだけでは、フリッカや色むらが生じるおそれがあった。
【０００８】
本発明は、フリッカおよび色むらを抑制しつつ、色再現性を更に向上できる電気光学装置、電気光学装置の駆動方法、および電子機器を提供することを目的とする。
【課題を解決するための手段】
【０００９】
本発明の電気光学装置は、複数の走査線と、複数のデータ線と、前記走査線および前記データ線の交差に対応して設けられた複数の画素と、を備える電気光学装置であって、前記複数の画素は、赤のカラーフィルタを有する画素と、青のカラーフィルタを有する画素と、を含み、複数のフレームを基準フレームとし、前記画素は、各フレーム毎に、第１階調、あるいは、この第１階調より１つ階調レベルが高い第２階調で表示可能であり、前記複数のデータ線には、前記赤のカラーフィルタを有する画素および前記青のカラーフィルタを有する画素のうち互いに隣り合うものが空間周波数上で互いに逆位相となるように、画像信号が供給されることを特徴とする。
【００１０】
この発明によれば、赤のカラーフィルタを有する画素と、青のカラーフィルタを有する画素と、を含んで複数の画素を構成し、基準フレームを構成するフレーム毎に、各画素は、第１階調、あるいは、第２階調で表示する。したがって、基準フレームで見ると、第１階調と第２階調との中間階調を表示でき、色再現性を向上できる。
【００１１】
しかも、赤のカラーフィルタを有する画素および青のカラーフィルタを有する画素のうち互いに隣り合うものが空間周波数上で互いに逆位相となるように、画像信号を供給した。
ここで、空間周波数上で互いに逆位相とは、例えば、基準フレームを構成するあるフレームにおいて、赤のカラーフィルタを有する画素をある階調で表示し、青のカラーフィルタを有する画素をこの階調とは異なる階調で表示した場合、続くフレームにおいて、赤のカラーフィルタを有する画素および青のカラーフィルタを有する画素を前のフレームの階調レベルを入れ替えて表示することである。
したがって、フリッカおよび色むらの発生を抑制できる。
【００１２】
本発明の電気光学装置は、複数の走査線と、複数のデータ線と、前記走査線および前記データ線の交差に対応して設けられた複数の画素と、を備える電気光学装置であって、前記複数の画素は、緑のカラーフィルタを有する画素と、シアンのカラーフィルタを有する画素と、を含み、複数のフレームを基準フレームとし、前記画素は、各フレーム毎に、第１階調、あるいは、この第１階調より１つ階調レベルが高い第２階調で表示可能であり、前記複数のデータ線には、前記緑のカラーフィルタを有する画素および前記シアンのカラーフィルタを有する画素のうち互いに隣り合うものが空間周波数上で互いに逆位相となるように、画像信号が供給されることを特徴とする。
【００１３】
この発明によれば、緑のカラーフィルタを有する画素と画素およびシアンのカラーフィルタを有する画素と画素のうち互いに隣り合うものが空間周波数上で互いに逆位相となるように、画像信号を供給した。したがって、フリッカおよび色むらの発生を抑制できる。
【００１４】
本発明の電気光学装置では、前記複数の画素は、赤のカラーフィルタを有する画素と、青のカラーフィルタを有する画素と、を更に含み、前記複数のデータ線には、前記赤のカラーフィルタを有する画素および前記青のカラーフィルタを有する画素のうち互いに隣り合うものが空間周波数上で互いに逆位相となるように、画像信号が供給されることが好ましい。
【００１５】
この発明によれば、赤のカラーフィルタを有する画素および青のカラーフィルタを有する画素のうち互いに隣り合うものが空間周波数上で互いに逆位相となるように、画像信号を複数のデータ線にそれぞれ供給した。また、緑のカラーフィルタを有する画素およびシアンのカラーフィルタを有する画素のうち互いに隣り合うものが空間周波数上で互いに逆位相となるように、画像信号を供給した。
したがって、フリッカおよび色むらの発生を更に抑制できる。
【００１６】
本発明の電子機器は、上述の電気光学装置を備えたことを特徴とする。
この発明によれば、上述した効果と同様の効果がある。
【００１７】
本発明の電気光学装置の駆動方法は、複数の走査線と、複数のデータ線と、前記走査線および前記データ線の交差に対応して設けられた複数の画素と、を備える電気光学装置の駆動方法であって、前記複数の画素は、赤のカラーフィルタを有する画素と、青のカラーフィルタを有する画素と、を含み、複数のフレームを基準フレームとし、前記画素は、各フレーム毎に、第１階調、あるいは、この第１階調より１つ階調レベルが高い第２階調で表示可能であり、前記赤のカラーフィルタを有する画素および前記青のカラーフィルタを有する画素のうち互いに隣り合うものが空間周波数上で互いに逆位相となるように、前記複数のデータ線に画像信号を供給することを特徴とする。
この発明によれば、上述した効果と同様の効果がある。
【００１８】
本発明の電気光学装置の駆動方法は、複数の走査線と、複数のデータ線と、前記走査線および前記データ線の交差に対応して設けられた複数の画素と、を備える電気光学装置の駆動方法であって、前記複数の画素は、緑のカラーフィルタを有する画素と、シアンのカラーフィルタを有する画素と、を含み、複数のフレームを基準フレームとし、前記画素は、各フレーム毎に、第１階調、あるいは、この第１階調より１つ階調レベルが高い第２階調で表示可能であり、前記緑のカラーフィルタを有する画素および前記シアンのカラーフィルタを有する画素のうち互いに隣り合うものが空間周波数上で互いに逆位相となるように、前記複数のデータ線に画像信号を供給することを特徴とする。
この発明によれば、上述した効果と同様の効果がある。
【００１９】
本発明の電気光学装置の駆動方法では、前記複数の画素は、赤のカラーフィルタを有する画素と、青のカラーフィルタを有する画素と、を更に含み、前記赤のカラーフィルタを有する画素および前記青のカラーフィルタを有する画素のうち互いに隣り合うものが空間周波数上で互いに逆位相となるように、前記複数のデータ線に画像信号を供給することが好ましい。
この発明によれば、上述した効果と同様の効果がある。
【発明を実施するための最良の形態】
【００２０】
以下、本発明の実施形態を図面に基づいて説明する。なお、以下の実施形態および変形例の説明にあたって、同一構成要件については同一符号を付し、その説明を省略もしくは簡略化する。
＜実施形態＞
図１は、本発明の第１実施形態に係る電気光学装置１のブロック図である。
電気光学装置１は、液晶パネルＡＡと、この液晶パネルＡＡを駆動する走査線駆動回路１１、およびデータ線駆動回路２１と、ＭＰＵ（Micro  Processor  Unit）４１と、電源回路４２と、を備えている。
【００２１】
ＭＰＵ４１は、外部バス４０に接続されており、走査線駆動回路１１、データ線駆動回路２１、電源回路４２の制御を行う。
具体的には、ＭＰＵ４１は、走査線駆動回路１１およびデータ線駆動回路２１に対して、垂直同期信号および水平同期信号の供給や、各種コマンドの発行を行う。また、ＭＰＵ４１は、電源回路４２に対して、電圧レベルの電源設定を行う。
【００２２】
電源回路４２は、外部から供給される基準電圧に基づいて、液晶パネルＡＡの駆動に必要な各種の電源電圧を生成し、走査線駆動回路１１やデータ線駆動回路２１に供給する。
【００２３】
液晶パネルＡＡは、複数の走査線１０と、複数のデータ線２０と、これら走査線１０およびデータ線２０の交差に対応して設けられた画素回路５０と、を備える。
液晶パネルＡＡには、上述した複数の画素回路５０に対応して設けられた複数の画素からなる表示領域Ａが形成されている。
また、上述の走査線駆動回路１１およびデータ線駆動回路２１は、液晶パネルＡＡの素子基板上に形成されている。
【００２４】
各画素回路５０は、素子基板に設けられたＴＦＴ５１、画素電極５５、および蓄積容量５３と、対向基板に設けられた共通電極５６と、を含んで構成されている。
【００２５】
具体的には、素子基板は、所定間隔おきに交互に設けられた複数の走査線１０および共通線３０と、これら走査線１０に略直交し所定間隔おきに設けられた複数のデータ線２０と、複数の走査線１０およびデータ線２０の交差に対応して設けられたスイッチング素子としてのＴＦＴ５１、画素電極５５、およびこの画素電極５５に一端が電気的に接続され他端が共通線３０に電気的に接続された蓄積容量５３と、を備えている。
【００２６】
対向基板は、マトリクス状に設けられた赤（Ｒ）、緑（Ｇ）、青（Ｂ）、シアン（Ｃ）の４種類のカラーフィルタと、画素電極５５に対向する共通電極５６と、を備えている。この共通電極５６は、共通線３０と接続されている。
素子基板に設けられた画素電極５５と、対向基板に設けられた共通電極５６との間には、液晶が挟持されている。
【００２７】
ＴＦＴ５１のゲート電極には、走査線１０が接続され、ＴＦＴ５１のソース電極には、データ線２０が接続され、ＴＦＴ５１のドレイン電極には、画素電極５５および蓄積容量５３が接続されている。したがって、このＴＦＴ５１は、走査線１０から選択電圧が印加されると、データ線２０と画素電極５５および蓄積容量５３とを導通状態とする。
【００２８】
走査線駆動回路１１は、ＴＦＴ５１をオン状態にする選択電圧を各走査線１０に線順次で供給する。例えば、ある走査線１０に選択電圧が供給されると、この走査線１０に接続されたＴＦＴ５１が全てオン状態となり、この走査線１０に係る画素回路５０が全て選択される。
データ線駆動回路２１は、画像信号を各データ線２０に供給し、オン状態のＴＦＴ５１を介して、画素回路５０の画素電極５５に画像データを順次書き込む。ここで、データ線駆動回路２１は、共通電極５６の電圧を基準電圧として、この共通電極５６の電圧よりも高い電圧でデータ線２０に画像信号を供給する正極性書込と、共通電極５６の電圧よりも低い電圧でデータ線２０に画像信号を供給する負極性書込とを交互に行う。
なお、走査線駆動回路１１は、走査線１０に印加する選択電圧を生成するＹドライバ（図示省略）を備えている。また、データ線駆動回路２１は、後述する赤（Ｒ）、緑（Ｇ）、青（Ｂ）、シアン（Ｃ）の４種類の画素に対応して、後述するＸドライバ２１Ａを４種類備えている。
【００２９】
以上の電気光学装置１は、以下のように動作する。
すなわち、選択電圧を線順次で供給することで、ある走査線１０に係る画素回路５０を全て選択する。そして、これら画素回路５０の選択に同期して、データ線２０に画像信号を供給する。これにより、走査線駆動回路で選択した全ての画素回路５０に画像信号が供給されて、画像データが画素電極５５に書き込まれる。
【００３０】
ここで、この電気光学装置１では、共通電極５６の電圧を基準電圧として、この共通電極５６の電圧よりも高い電圧でデータ線２０に画像信号を供給する正極性書込と、共通電極５６の電圧よりも低い電圧でデータ線２０に画像信号を供給する負極性書込とを交互に行う。
【００３１】
画素回路５０の画素電極５５に画像データが書き込まれると、この画素電極５５と共通電極５６との電位差により、液晶に駆動電圧が印加される。したがって、画像信号の電圧レベルを変化させることで、液晶の配向や秩序を変化させて、各画素の光変調による階調表示を行う。
なお、液晶に印加される駆動電圧は、蓄積容量５３により、画像データが書き込まれる期間よりも３桁も長い期間に亘って保持される。
【００３２】
図２は、データ線駆動回路２１を構成するＸドライバ２１Ａのブロック図である。以下、１種類のＸドライバ２１Ａについて説明するが、他の３種類についても同様の構成である。
Ｘドライバ２１Ａは、内部バス６０と、この内部バス６０に接続されたＭＰＵインタフェース６１、バスホルダ６２、コマンドデコーダ６３、およびＭＰＵ側制御回路７０と、を備えている。
【００３３】
ＭＰＵインタフェース６１は、上述のＭＰＵ４１に接続されている。
バスホルダ６２は、内部バス６０上のデータを一時的に保持する。
コマンドデコーダ６３は、ＭＰＵ４１から入力されたコマンドをデコード（解読）し、デコード結果をＭＰＵ側制御回路７０に出力する。
【００３４】
コマンドデコーダ６３には、不揮発性メモリのＥＥＰＲＯＭ６５が接続されている。このＥＥＰＲＯＭ６５は、表示特性制御パラメータ（コントラスト調整パラメータ、表示制御パラメータ、階調制御パラメータ等）を記憶している。この表示特性制御パラメータは、例えば、電源投入時、システムリセット時、およびリフレッシュタイミング時に読み出され、ＭＰＵ側制御回路７０、ドライバ側制御回路８０等のパラメータに反映される。
【００３５】
ＭＰＵ側制御回路７０は、赤（Ｒ）、緑（Ｇ）、青（Ｂ）、シアン（Ｃ）の４種類の画素についての表示データが入力され、ドライバ側制御回路８０、カラムアドレス制御回路９２およびページアドレス制御回路９３を制御して、表示データＲＡＭ９１に対して上述の表示データのリード、ライト動作を行う他、表示階調制御回路９６を制御する。
【００３６】
カラムアドレス制御回路９２は、インタフェースバッファ９５を介して、表示データの表示データＲＡＭ９１に対する書き込みカラムアドレスを指定する。
ページアドレス制御回路９３は、表示データの表示データＲＡＭ９１に対する書き込みページアドレスと読み出しページアドレスとを指定する。
【００３７】
ドライバ側制御回路８０は、ラインアドレス制御回路９４を制御するものであり、Ｘドライバ制御回路８１と、Ｙドライバ制御回路８２と、発振回路８３と、を備える。
Ｘドライバ制御回路８１は、他の３種類のＸドライバ２１Ａと同期をとる。
Ｙドライバ制御回路８２は、ラインアドレス制御回路９４を制御する。
発振回路８３は、Ｘドライバ２１Ａ内部で使用される基準クロックを生成する。なお、画像の表示制御が主な目的であるため、この基準クロックは、数百ＫＨｚオーダである。
ラインアドレス制御回路９４は、表示データの表示データＲＡＭ９１に対する読み出しアドレスを指定する。
【００３８】
このドライバ側制御回路８０は、他の３種類のＸドライバ２１Ａのドライバ側制御回路８０と同期をとりながら、ラインアドレス制御回路９４を制御して、ＭＰＵ側制御回路７０とともに、表示データＲＡＭ９１に対するリード動作を制御する。
【００３９】
以上のＸドライバ２１Ａは、以下のように動作する。
ＭＰＵ側制御回路７０は、コマンドデコーダ６３でデコードされたコマンドに基づいて、カラムアドレス制御回路９２およびページアドレス制御回路９３で指定された表示データＲＡＭ９１のアドレスに、インタフェースバッファ９５を介して表示データを書き込む。
また、ＭＰＵ側制御回路７０は、表示データＲＡＭ９１に書き込まれた表示データを、ページアドレス制御回路９３およびラインアドレス制御回路９４で指定されたアドレスから読み出して、表示階調制御回路９６に出力する。
【００４０】
表示階調制御回路９６は、表示データＲＡＭ９１から入力された表示データに基づいて、後述するＦＲＣ（Frame  Rate  Control）を行い、液晶パネル駆動回路９７に画像信号を出力する。
【００４１】
液晶パネル駆動回路９７は、表示階調制御回路９６から入力された画像信号を、液晶パネルＡＡの電圧に応じた電圧に昇圧し、液晶パネルＡＡのデータ線２０に供給する。
【００４２】
図３は、表示領域Ａの模式図である。
表示領域Ａは、複数の画素５７がマトリクス状に配列されて構成され、複数の画素５７は、赤（Ｒ）のカラーフィルタを有する画素５７と、緑（Ｇ）のカラーフィルタを有する画素５７と、青（Ｂ）のカラーフィルタを有する画素５７と、シアン（Ｃ）のカラーフィルタを有する画素５７と、を備えている。
上述したように、画素５７は、赤（Ｒ）、緑（Ｇ）、青（Ｂ）、シアン（Ｃ）の４種類がある。そこで、図３中水平方向に配置された４種類の画素５７を１組として、この画素５７の組を、縦に４組、横に４組の計１６組配列して、画素ブロック５２とする。
なお、本実施形態では、４種類の画素５７は、図３のようにストライプ配列である。
【００４３】
まず、赤（Ｒ）の画素５７および青（Ｂ）の画素５７に対して表示階調制御回路９６で行われるＦＲＣについて説明する。
図４は、画素ブロック５２を構成する画素５７のうち、１６個の赤（Ｒ）の画素５７のフレーム毎の点灯パターンを示す模式図である。
図４において、縦軸は、８ｂｉｔの表示データのうち下位２ｂｉｔを利用して表現された階調レベルである。
一方、横軸は、フレームの番号である。このフレームの番号は、“０”から“３”までカウントアップすると、“０”に戻る。
【００４４】
図４の画素ブロック５２は、第０番から第３番までの４つのライン（行）および第０番から第３番までの４つのカラム（列）で表現される、４×４の１６個の赤（Ｒ）の画素５７を含んで構成されている。
以降、これら１６個の赤（Ｒ）の画素５７の画素ブロック５２内における位置を、（ｘ，ｙ）（ｘはカラムの番号、ｙはラインの番号）で表現する。この画素ブロック５２は、１６個の赤（Ｒ）の画素５７を選択的に点灯させることで、全体として１つの階調を表示する。
【００４５】
画素ブロック５２において、“０”の画素５７は、階調Ｋ（ただし、０≦Ｋ≦６２）で点灯し、“１”の画素５７は、階調Ｋ＋１で点灯することを意味する。
【００４６】
例えば、表示データの下位２ｂｉｔが“００”でフレームの番号が“０”の場合、画素ブロック５２の１６個の赤（Ｒ）の画素５７を、以下のように点灯させる。
すなわち、（０，０）、（１，１）、（２，３）、（３，２）の赤（Ｒ）の画素５７を階調Ｋ＋１で点灯させ、残りの赤（Ｒ）の画素５７を階調Ｋで点灯させる。
フレームが切り替わって、フレームの番号が“１”の場合、（０，２）、（１，３）、（２，１）、（３，０）の赤（Ｒ）の画素５７を階調Ｋ＋１で点灯させ、残りの赤（Ｒ）の画素５７を階調Ｋで点灯させる。
フレームが切り替わって、フレームの番号が“２”の場合、（０，１）、（１，０）、（２，２）、（３，３）の赤（Ｒ）の画素５７を階調Ｋ＋１で点灯させ、残りの赤（Ｒ）の画素５７を階調Ｋで点灯させる。
フレームが切り替わって、フレームの番号が“３”の場合、（０，３）、（１，２）、（２，０）、（３，１）の赤（Ｒ）の画素５７を階調Ｋ＋１で点灯させ、残りの赤（Ｒ）の画素５７を階調Ｋで点灯させる。
更にフレームが切り替わると、フレームの番号は“０”に戻り、上述の表示データの下位２ｂｉｔが“００”でフレームの番号が“０”の場合のように、赤（Ｒ）の画素５７を点灯させる。
【００４７】
以上により、表示データの下位２ｂｉｔが“００”の場合、１６個の赤（Ｒ）の画素５７を含んで構成される画素ブロック５２は、階調Ｋと階調Ｋ＋１との中間階調である階調（Ｋ＋１／４）の赤（Ｒ）を表示する。
同様に、表示データの下位２ｂｉｔが“０１”の場合、１６個の赤（Ｒ）の画素５７からなる画素ブロック５２は、階調Ｋと階調Ｋ＋１との中間階調である階調（Ｋ＋１／２）の赤（Ｒ）を表示する。
同様に、表示データの下位２ｂｉｔが“１０”の場合、１６個の赤（Ｒ）の画素５７からなる画素ブロック５２は、階調Ｋと階調Ｋ＋１との中間階調である階調（Ｋ＋３／４）の赤（Ｒ）を表示する。
同様に、表示データの下位２ｂｉｔが“１１”の場合、１６個の赤（Ｒ）の画素５７からなる画素ブロック５２は、階調（Ｋ＋１）の赤（Ｒ）を表示する。
【００４８】
このように、電気光学装置１は、画素ブロック５２を構成する１６個の赤（Ｒ）の画素５７において、階調Ｋおよび階調Ｋ＋１で点灯させる点灯パターンをフレーム毎に切り替えてＦＲＣを行うことで、階調Ｋと階調Ｋ＋１との中間階調の赤（Ｒ）を表示する。
【００４９】
図５は、画素ブロック５２を構成する画素５７のうち、１６個の赤（Ｒ）の画素５７のカラム毎の点灯パターンを示す模式図である。
図４では１６個の赤（Ｒ）の画素５７をフレーム毎に表現したのに対して、図５では１６個の赤（Ｒ）の画素５７をカラム毎に表現した点が異なる。
すなわち、図５において、横軸は、カラムの番号で、第０番から第３番までの４つのカラム（列）を意味する。
【００５０】
図５の画素ブロック５２は、第０番から第３番までの４つのライン（行）および第０番から第３番までの４つのカラム（列）で表現される、４×４の１６個の赤（Ｒ）の画素５７を含んで構成される。
以降、これら１６個の赤（Ｒ）の画素５７の画素ブロック５２内における位置を、［ｘ，ｙ］（ｘはフレームの番号、ｙはラインの番号）で表現する。この画素ブロック５２は、１６個の赤（Ｒ）の画素５７を選択的に点灯させることで、全体として１つの階調を表示する。
【００５１】
図５と図４とは、上述のように表現方法は異なるが、１６個の赤（Ｒ）の画素５７についての同一の点灯パターンを表現している。
例えば、図５において、表示データの下位２ｂｉｔが“００”でカラムの番号が“０”の場合、階調Ｋ＋１で点灯させる赤（Ｒ）の画素５７は、［０，０］、［１，２］、［２，１］、［３，３］である。これらの画素５７は、図４において、表示データの下位２ｂｉｔが“００”でフレームの番号が“０”の場合の（０，０）、表示データの下位２ｂｉｔが“００”でフレームの番号が“１”の場合の（０，２）、表示データの下位２ｂｉｔが“００”でフレームの番号が“２”の場合の（０，１）、表示データの下位２ｂｉｔが“００”でフレームの番号が“３”の場合の（０，３）に対応する。
【００５２】
図６は、画素ブロック５２を構成する画素５７のうち、１６個の青（Ｂ）の画素５７のフレーム毎の点灯パターンを示す模式図である。
図６において、図４と同様に、縦軸は、８ｂｉｔの表示データのうち下位２ｂｉｔを利用して表現された階調レベルであり、横軸は、フレームの番号である。このフレームの番号は、図４のフレームの番号と同期している。
【００５３】
図６の画素ブロック５２は、第０番から第３番までの４つのライン（行）および第０番から第３番までの４つのカラム（列）で表現される、４×４の１６個の青（Ｂ）の画素５７を含んで構成されている。
以降、これら１６個の青（Ｂ）の画素５７の画素ブロック５２内における位置を、（ｘ，ｙ）（ｘはカラムの番号、ｙはラインの番号）で表現する。この画素ブロック５２は、１６個の青（Ｂ）の画素５７を選択的に点灯させることで、全体として１つの階調を表示する。
【００５４】
画素ブロック５２において、“０”の画素５７は、階調Ｌ（ただし、０≦Ｌ≦６２）で点灯し、“１”の画素５７は、階調Ｌ＋１（ただし、０≦Ｌ≦６２）で点灯することを意味する。
【００５５】
例えば、表示データの下位２ｂｉｔが“００”でフレームの番号が“０”の場合、画素ブロック５２の１６個の青（Ｂ）の画素５７を、以下のように点灯させる。
すなわち、（０，１）、（１，０）、（２，２）、（３，３）の青（Ｂ）の画素５７を階調Ｌ＋１で点灯させ、残りの青（Ｂ）の画素５７を階調Ｌで点灯させる。
フレームが切り替わって、フレームの番号が“１”の場合、（０，３）、（１，２）、（２，０）、（３，１）の青（Ｂ）の画素５７を階調Ｌ＋１で点灯させ、残りの青（Ｂ）の画素５７を階調Ｌで点灯させる。
フレームが切り替わって、フレームの番号が“２”の場合、（０，０）、（１，１）、（２，３）、（３，２）の青（Ｂ）の画素５７を階調Ｌ＋１で点灯させ、残りの青（Ｂ）の画素５７を階調Ｌで点灯させる。
フレームが切り替わって、フレームの番号が“３”の場合、（０，２）、（１，３）、（２，１）、（３，０）の青（Ｂ）の画素５７を階調Ｌ＋１で点灯させ、残りの青（Ｂ）の画素５７を階調Ｌで点灯させる。
更にフレームが切り替わると、フレームの番号は“０”に戻り、上述の表示データの下位２ｂｉｔが“００”でフレームの番号が“０”の場合のように、青（Ｂ）の画素５７を点灯させる。
【００５６】
以上により、表示データの下位２ｂｉｔが“００”の場合、１６個の青（Ｂ）の画素５７を含んで構成される画素ブロック５２は、階調Ｌと階調Ｌ＋１との中間階調である階調（Ｌ＋１／４）の青（Ｂ）を表示する。
同様に、表示データの下位２ｂｉｔが“０１”の場合、１６個の青（Ｂ）の画素５７からなる画素ブロック５２は、階調Ｌと階調Ｌ＋１との中間階調である階調（Ｌ＋１／２）の青（Ｂ）を表示する。
同様に、表示データの下位２ｂｉｔが“１０”の場合、１６個の青（Ｂ）の画素５７からなる画素ブロック５２は、階調Ｌと階調Ｌ＋１との中間階調である階調（Ｌ＋３／４）の青（Ｂ）を表示する。
同様に、表示データの下位２ｂｉｔが“１１”の場合、１６個の青（Ｂ）の画素５７からなる画素ブロック５２は、階調（Ｌ＋１）の青（Ｂ）を表示する。
【００５７】
このように、電気光学装置１は、画素ブロック５２を構成する１６個の青（Ｂ）の画素５７において、階調Ｌおよび階調Ｌ＋１で点灯させる点灯パターンをフレーム毎に切り替えてＦＲＣを行うことで、階調Ｌと階調Ｌ＋１との中間階調の青（Ｂ）を表示する。
【００５８】
図７は、画素ブロック５２を構成する画素５７のうち、１６個の青（Ｂ）の画素５７のカラム毎の点灯パターンを示す模式図である。
図６では１６個の青（Ｂ）の画素５７をフレーム毎に表現したのに対して、図７では１６個の青（Ｂ）の画素５７をカラム毎に表現した点が異なる。
すなわち、図７において、横軸は、カラムの番号で、第０番から第３番までの４つのカラム（列）を意味する。
【００５９】
図７の画素ブロック５２は、第０番から第３番までの４つのライン（行）および第０番から第３番までの４つのカラム（列）で表現される、４×４の１６個の青（Ｂ）の画素５７を含んで構成される。
以降、これら１６個の青（Ｂ）の画素５７の画素ブロック５２内における位置を、［ｘ，ｙ］（ｘはフレームの番号、ｙはラインの番号）で表現する。この画素ブロック５２は、１６個の青（Ｂ）の画素５７を選択的に点灯させることで、全体として１つの階調を表示する。
【００６０】
図７と図６とは、上述のように表現方法は異なるが、１６個の青（Ｂ）の画素５７についての同一の点灯パターンを表現している。
例えば、図７において、表示データの下位２ｂｉｔが“００”でカラムの番号が“０”の場合、階調Ｌ＋１で点灯させる青（Ｂ）の画素５７は、［０，１］、［１，３］、［２，０］、［３，２］である。これらの画素５７は、図６において、表示データの下位２ｂｉｔが“００”でフレームの番号が“０”の場合の（０，１）、表示データの下位２ｂｉｔが“００”でフレームの番号が“１”の場合の（０，３）、表示データの下位２ｂｉｔが“００”でフレームの番号が“２”の場合の（０，０）、表示データの下位２ｂｉｔが“００”でフレームの番号が“３”の場合の（０，２）に対応する。
【００６１】
上述のように、表示データの下位２ｂｉｔが“００”でフレームの番号が“０”の場合、図４より、１６個の赤（Ｒ）の画素５７のうち（０，０）、（１，１）、（２，３）、（３，２）を階調Ｋ＋１で点灯させ、残る赤（Ｒ）の画素５７を階調Ｋで点灯させる。
また、図６より、１６個の青（Ｂ）の画素５７のうち（０，１）、（１，０）、（２，２）、（３，３）を階調Ｌ＋１で点灯させ、残る青（Ｂ）の画素５７を階調Ｌで点灯させる。
【００６２】
続いて、フレームの番号が“２”の場合、図４より、１６個の赤（Ｒ）の画素５７のうち（０，１）、（１，０）、（２，２）、（３，３）を階調Ｋ＋１で点灯させ、残る赤（Ｒ）の画素５７を階調Ｋで点灯させる。
また、図６より、１６個の青（Ｂ）の画素５７のうち（０，０）、（１，１）、（２，３）、（３，２）を階調Ｌ＋１で点灯させ、残る青（Ｂ）の画素５７を階調Ｌで点灯させる。
【００６３】
したがって、フレームの番号が“０”の場合と“２”の場合とでは、赤（Ｒ）の画素５７および青（Ｂ）の画素５７は、階調レベルを入れ替えて表示している。
したがって、図４の１６個の赤（Ｒ）の画素５７（０，０）、（１，１）と、図６の１６個の青（Ｂ）の画素５７のうち（０，１）、（１，０）とは、互いに隣り合っており、空間周波数上で互いに逆位相である。また、図４の１６個の赤（Ｒ）の画素５７のうち（２，３）、（３，２）と、図６の１６個の青（Ｂ）の画素５７のうち（２，２）、（３，３）とは、互いに隣り合っており、空間周波数上で互いに逆位相である。
以上のように、電気光学装置１は、１６個の赤（Ｒ）の画素５７および１６個の青（Ｂ）の画素５７に対して、上述の２種類の画素が空間周波数上で互いに逆位相となるように決められた点灯パターンでＦＲＣを行う。
【００６４】
次に、緑（Ｇ）の画素５７およびシアン（Ｃ）の画素５７に対して表示階調制御回路９６で行われるＦＲＣについて説明する。
図８は、画素ブロック５２を構成する画素５７のうち、１６個の緑（Ｇ）の画素５７のフレーム毎の点灯パターンを示す模式図である。
図８において、縦軸は、８ｂｉｔの表示データのうち下位２ｂｉｔを利用して表現された階調レベルである。
一方、横軸は、フレームの番号である。このフレームの番号は、“０”から“３”までカウントアップすると、“０”に戻る。
【００６５】
図８の画素ブロック５２は、第０番から第３番までの４つのライン（行）および第０番から第３番までの４つのカラム（列）で表現される、４×４の１６個の緑（Ｇ）の画素５７を含んで構成されている。
以降、これら１６個の緑（Ｇ）の画素５７の画素ブロック５２内における位置を、（ｘ，ｙ）（ｘはカラムの番号、ｙはラインの番号）で表現する。この画素ブロック５２は、１６個の緑（Ｇ）の画素５７を選択的に点灯させることで、全体として１つの階調を表示する。
【００６６】
画素ブロック５２において、“０”の画素５７は、階調Ｍ（ただし、０≦Ｍ≦６２）で点灯し、“１”の画素５７は、階調Ｍ＋１で点灯することを意味する。
【００６７】
例えば、表示データの下位２ｂｉｔが“１０”でフレームの番号が“０”の場合、画素ブロック５２の１６個の緑（Ｇ）の画素５７を、以下のように点灯させる。
すなわち、（０，３）、（１，２）、（２，０）、（３，１）の緑（Ｇ）の画素５７を階調Ｍで点灯させ、残りの緑（Ｇ）の画素５７を階調Ｍ＋１で点灯させる。
フレームが切り替わって、フレームの番号が“１”の場合、（０，０）、（１，１）、（２，３）、（３，２）の緑（Ｇ）の画素５７を階調Ｍで点灯させ、残りの緑（Ｇ）の画素５７を階調Ｍ＋１で点灯させる。
フレームが切り替わって、フレームの番号が“２”の場合、（０，２）、（１，３）、（２，１）、（３，０）の緑（Ｇ）の画素５７を階調Ｍで点灯させ、残りの緑（Ｇ）の画素５７を階調Ｍ＋１で点灯させる。
フレームが切り替わって、フレームの番号が“３”の場合、（０，１）、（１，０）、（２，２）、（３，３）の緑（Ｇ）の画素５７を階調Ｍで点灯させ、残りの緑（Ｇ）の画素５７を階調Ｍ＋１で点灯させる。
更にフレームが切り替わると、フレームの番号は“０”に戻り、上述の表示データの下位２ｂｉｔが“１０”でフレームの番号が“０”の場合のように、緑（Ｇ）の画素５７を点灯させる。
【００６８】
以上により、表示データの下位２ｂｉｔが“１０”の場合、１６個の緑（Ｇ）の画素５７を含んで構成される画素ブロック５２は、階調Ｍと階調Ｍ＋１との中間階調である階調（Ｍ＋３／４）の緑（Ｇ）を表示する。
同様に、表示データの下位２ｂｉｔが“００”の場合、１６個の緑（Ｇ）の画素５７からなる画素ブロック５２は、階調Ｍと階調Ｍ＋１との中間階調である階調（Ｍ＋１／４）の緑（Ｇ）を表示する。
同様に、表示データの下位２ｂｉｔが“０１”の場合、１６個の緑（Ｇ）の画素５７からなる画素ブロック５２は、階調Ｍと階調Ｍ＋１との中間階調である階調（Ｍ＋１／２）の緑（Ｇ）を表示する。
同様に、表示データの下位２ｂｉｔが“１１”の場合、１６個の緑（Ｇ）の画素５７からなる画素ブロック５２は、階調（Ｍ＋１）の緑（Ｇ）を表示する。
【００６９】
このように、電気光学装置１は、画素ブロック５２を構成する１６個の緑（Ｇ）の画素５７において、階調Ｍおよび階調Ｍ＋１で点灯させる点灯パターンをフレーム毎に切り替えてＦＲＣを行うことで、階調Ｍと階調Ｍ＋１との中間階調の緑（Ｇ）を表示する。
【００７０】
図９は、画素ブロック５２を構成する画素５７のうち、１６個の緑（Ｇ）の画素５７のカラム毎の点灯パターンを示す模式図である。
図８では１６個の緑（Ｇ）の画素５７をフレーム毎に表現したのに対して、図９では１６個の緑（Ｇ）の画素５７をカラム毎に表現した点が異なる。
すなわち、図９において、横軸は、カラムの番号で、第０番から第３番までの４つのカラム（列）を意味する。
【００７１】
図９の画素ブロック５２は、第０番から第３番までの４つのライン（行）および第０番から第３番までの４つのカラム（列）で表現される、４×４の１６個の緑（Ｇ）の画素５７を含んで構成される。
以降、これら１６個の緑（Ｇ）の画素５７の画素ブロック５２内における位置を、［ｘ，ｙ］（ｘはフレームの番号、ｙはラインの番号）で表現する。この画素ブロック５２は、１６個の緑（Ｇ）の画素５７を選択的に点灯させることで、全体として１つの階調を表示する。
【００７２】
図９と図８とは、上述のように表現方法は異なるが、１６個の緑（Ｇ）の画素５７についての同一の点灯パターンを表現している。
例えば、図９において、表示データの下位２ｂｉｔが“１０”でカラムの番号が“０”の場合、階調Ｍで点灯させる緑（Ｇ）の画素５７は、［０，３］、［１，０］、［２，２］、［３，１］である。これらの画素５７は、図８において、表示データの下位２ｂｉｔが“１０”でフレームの番号が“０”の場合の（０，３）、表示データの下位２ｂｉｔが“１０”でフレームの番号が“１”の場合の（０，０）、表示データの下位２ｂｉｔが“１０”でフレームの番号が“２”の場合の（０，２）、表示データの下位２ｂｉｔが“１０”でフレームの番号が“３”の場合の（０，１）に対応する。
【００７３】
図１０は、画素ブロック５２を構成する画素５７のうち、１６個のシアン（Ｃ）の画素５７のフレーム毎の点灯パターンを示す模式図である。
図１０において、図８と同様に、縦軸は、８ｂｉｔの表示データのうち下位２ｂｉｔを利用して表現された階調レベルであり、横軸は、フレームの番号である。このフレームの番号は、図８のフレームの番号と同期している。
【００７４】
図１０の画素ブロック５２は、第０番から第３番までの４つのライン（行）および第０番から第３番までの４つのカラム（列）で表現される、４×４の１６個のシアン（Ｃ）の画素５７を含んで構成されている。
以降、これら１６個のシアン（Ｃ）の画素５７の画素ブロック５２内における位置を、（ｘ，ｙ）（ｘはカラムの番号、ｙはラインの番号）で表現する。この画素ブロック５２は、１６個のシアン（Ｃ）の画素５７を選択的に点灯させることで、全体として１つの階調を表示する。
【００７５】
画素ブロック５２において、“０”の画素５７は、階調Ｎ（ただし、０≦Ｎ≦６２）で点灯し、“１”の画素５７は、階調Ｎ＋１で点灯することを意味する。
【００７６】
例えば、表示データの下位２ｂｉｔが“１０”でフレームの番号が“０”の場合、画素ブロック５２の１６個のシアン（Ｃ）の画素５７を、以下のように点灯させる。
すなわち、（０，２）、（１，３）、（２，１）、（３，０）のシアン（Ｃ）の画素５７を階調Ｎで点灯させ、残りのシアン（Ｃ）の画素５７を階調Ｎ＋１で点灯させる。
フレームが切り替わって、フレームの番号が“１”の場合、（０，１）、（１，０）、（２，２）、（３，３）のシアン（Ｃ）の画素５７を階調Ｎで点灯させ、残りのシアン（Ｃ）の画素５７を階調Ｎ＋１で点灯させる。
フレームが切り替わって、フレームの番号が“２”の場合、（０，３）、（１，２）、（２，０）、（３，１）のシアン（Ｃ）の画素５７を階調Ｎで点灯させ、残りのシアン（Ｃ）の画素５７を階調Ｎ＋１で点灯させる。
フレームが切り替わって、フレームの番号が“３”の場合、（０，０）、（１，１）、（２，３）、（３，２）のシアン（Ｃ）の画素５７を階調Ｎで点灯させ、残りのシアン（Ｃ）の画素５７を階調Ｎ＋１で点灯させる。
更にフレームが切り替わると、フレームの番号は“０”に戻り、上述の表示データの下位２ｂｉｔが“１０”でフレームの番号が“０”の場合のように、シアン（Ｃ）の画素５７を点灯させる。
【００７７】
以上により、表示データの下位２ｂｉｔが“１０”の場合、１６個のシアン（Ｃ）の画素５７を含んで構成される画素ブロック５２は、階調Ｎと階調Ｎ＋１との中間階調である階調（Ｎ＋３／４）のシアン（Ｃ）を表示する。
同様に、表示データの下位２ｂｉｔが“００”の場合、１６個のシアン（Ｃ）の画素５７からなる画素ブロック５２は、階調Ｎと階調Ｎ＋１との中間階調である階調（Ｎ＋１／４）のシアン（Ｃ）を表示する。
同様に、表示データの下位２ｂｉｔが“０１”の場合、１６個のシアン（Ｃ）の画素５７からなる画素ブロック５２は、階調Ｎと階調Ｎ＋１との中間階調である階調（Ｎ＋１／２）のシアン（Ｃ）を表示する。
同様に、表示データの下位２ｂｉｔが“１１”の場合、１６個のシアン（Ｃ）の画素５７からなる画素ブロック５２は、階調（Ｎ＋１）のシアン（Ｃ）を表示する。
【００７８】
このように、電気光学装置１は、画素ブロック５２を構成する１６個のシアン（Ｃ）の画素５７において、階調Ｎおよび階調Ｎ＋１で点灯させる点灯パターンをフレーム毎に切り替えてＦＲＣを行うことで、階調Ｎと階調Ｎ＋１との中間階調のシアン（Ｃ）を表示する。
【００７９】
図１１は、画素ブロック５２を構成する画素５７のうち、１６個のシアン（Ｃ）の画素５７のカラム毎の点灯パターンを示す模式図である。
図１０では１６個のシアン（Ｃ）の画素５７をフレーム毎に表現したのに対して、図１１では１６個のシアン（Ｃ）の画素５７をカラム毎に表現した点が異なる。
すなわち、図１１において、横軸は、カラムの番号で、第０番から第３番までの４つのカラム（列）を意味する。
【００８０】
図１１の画素ブロック５２は、第０番から第３番までの４つのライン（行）および第０番から第３番までの４つのカラム（列）で表現される、４×４の１６個のシアン（Ｃ）の画素５７を含んで構成される。
以降、これら１６個のシアン（Ｃ）の画素５７の画素ブロック５２内における位置を、［ｘ，ｙ］（ｘはフレームの番号、ｙはラインの番号）で表現する。この画素ブロック５２は、１６個のシアン（Ｃ）の画素５７を選択的に点灯させることで、全体として１つの階調を表示する。
【００８１】
図１１と図１０とは、上述のように表現方法は異なるが、１６個のシアン（Ｃ）の画素５７についての同一の点灯パターンを表現している。
例えば、図１１において、表示データの下位２ｂｉｔが“１０”でカラムの番号が“０”の場合、階調Ｎで点灯させるシアン（Ｃ）の画素５７は、［０，２］、［１，１］、［２，３］、［３，０］である。これらの画素５７は、図１０において、表示データの下位２ｂｉｔが“１０”でフレームの番号が“０”の場合の（０，２）、表示データの下位２ｂｉｔが“１０”でフレームの番号が“１”の場合の（０，１）、表示データの下位２ｂｉｔが“１０”でフレームの番号が“２”の場合の（０，３）、表示データの下位２ｂｉｔが“１０”でフレームの番号が“３”の場合の（０，０）に対応する。
【００８２】
上述のように、表示データの下位２ｂｉｔが“１０”でフレームの番号が“０”の場合、図８より、１６個の緑（Ｇ）の画素５７のうち（０，３）、（１，２）、（２，０）、（３，１）を階調Ｍで点灯させ、残る緑（Ｇ）の画素５７を階調Ｍ＋１で点灯させる。
また、図１０より、１６個のシアン（Ｃ）の画素５７のうち（０，２）、（１，３）、（２，１）、（３，０）を階調Ｎで点灯させ、残るシアン（Ｃ）の画素５７を階調Ｎ＋１で点灯させる。
【００８３】
続いて、フレームの番号が“２”の場合、図８より、１６個の緑（Ｇ）の画素５７のうち（０，２）、（１，３）、（２，１）、（３，０）を階調Ｍで点灯させ、残る緑（Ｇ）の画素５７を階調Ｍ＋１で点灯させる。
また、図１０より、１６個のシアン（Ｃ）の画素５７のうち（０，３）、（１，２）、（２，０）、（３，１）を階調Ｎで点灯させ、残るシアン（Ｃ）の画素５７を階調Ｎ＋１で点灯させる。
【００８４】
したがって、フレームの番号が“０”の場合と“２”の場合とでは、緑（Ｇ）の画素５７およびシアン（Ｃ）の画素５７は、階調レベルを入れ替えて表示している。
したがって、図８の１６個の緑（Ｇ）の画素５７（０，３）、（１，２）と、図１０の１６個のシアン（Ｃ）の画素５７のうち（０，２）、（１，３）とは、互いに隣り合っており、空間周波数上で互いに逆位相である。また、図８の１６個の緑（Ｇ）の画素５７のうち（２，０）、（３，１）と、図１０の１６個のシアン（Ｃ）の画素５７のうち（２，１）、（３，０）とは、互いに隣り合っており、空間周波数上で互いに逆位相である。
以上のように、電気光学装置１は、１６個の緑（Ｇ）の画素５７および１６個のシアン（Ｃ）の画素５７に対して、上述の２種類の画素が空間周波数上で互いに逆位相となるように決められた点灯パターンでＦＲＣを行う。
【００８５】
本実施形態によれば、以下のような効果がある。
（１）電気光学装置１では、赤（Ｒ）のカラーフィルタを有する画素５７と、緑（Ｇ）のカラーフィルタを有する画素５７と、青（Ｂ）のカラーフィルタを有する画素５７と、シアン（Ｃ）のカラーフィルタを有する画素５７と、を含んで複数の画素５７を構成し、基準フレームを構成するフレーム毎に、各画素５７は、第１階調、あるいは、第２階調で表示する。したがって、基準フレームで見ると、第１階調と第２階調との中間階調を表示でき、色再現性を向上できる。
【００８６】
（２）赤（Ｒ）のカラーフィルタを有する画素５７および青（Ｂ）のカラーフィルタを有する画素５７のうち互いに隣り合うものが空間周波数上で互いに逆位相となるように、画像信号を複数のデータ線２０にそれぞれ供給する。また、緑（Ｇ）のカラーフィルタを有する画素５７およびシアン（Ｃ）のカラーフィルタを有する画素５７のうち互いに隣り合うものが空間周波数上で互いに逆位相となるように、画像信号を複数のデータ線２０にそれぞれ供給する。したがって、赤（Ｒ）のカラーフィルタを有する画素５７および青（Ｂ）のカラーフィルタを有する画素５７、緑（Ｇ）のカラーフィルタを有する画素５７およびシアン（Ｃ）のカラーフィルタを有する画素５７を互いに打ち消し合わせることができ、フリッカおよび色むらの発生を抑制できる。
【００８７】
＜変形例＞
なお、本発明は前記実施形態に限定されるものではなく、本発明の目的を達成できる範囲での変形、改良等は本発明に含まれるものである。
例えば、画素ブロック５２を構成する４種類の画素５７は、本実施形態で示した点灯パターンに限らず、赤（Ｒ）および青（Ｂ）、緑（Ｇ）およびシアン（Ｃ）の色をそれぞれ打ち消し合わせることができるパターンで点灯すればよい。
【００８８】
また、本実施形態では、複数の画素５７は、赤（Ｒ）のカラーフィルタを有する画素５７と、緑（Ｇ）のカラーフィルタを有する画素５７と、青（Ｂ）のカラーフィルタを有する画素５７と、シアン（Ｃ）のカラーフィルタを有する画素５７と、を備えたが、これに限らない。
例えば、先に説明した赤（Ｒ）、青（Ｂ）、緑（Ｇ）及びシアン（Ｃ）をそれぞれ、以下に説明するような赤系の色相の着色領域（Ｒ）、青系の色相の着色領域（Ｂ）及び青から黄までの色相の中で選択された２種の色相の着色領域（Ｇ及びＣ）に適用しても良い。
【００８９】
４色の着色領域は、波長に応じて色相が変化する可視光領域（３８０−７８０ｎｍ）のうち、青系の色相の着色領域、赤系の色相の着色領域と、青から黄までの色相の中で選択された２種の色相の着色領域からなる。ここで系と用いているが、例えば青系であれば純粋の青の色相に限定されるものでなく、青紫や青緑等を含むものである。赤系の色相であれば、赤に限定されるものでなく橙を含む。また、これら着色領域は単一の着色層で構成されても良いし、複数の異なる色相の着色層を重ねて構成されても良い。また、これら着色領域は色相で述べているが、当該色相は、彩度、明度を適宜変更し、色を設定し得るものである。
【００９０】
具体的な色相の範囲は、
青系の色相の着色領域は、青紫から青緑であり、より好ましくは藍から青である。
赤系の色相の着色領域は、橙から赤である。
青から黄までの色相で選択される一方の着色領域は、青から緑であり、より好ましくは青緑から緑である。
青から黄までの色相で選択される他方の着色領域は、緑から橙であり、より好ましくは緑から黄である。もしくは緑から黄緑である。
ここで、各着色領域は、同じ色相を用いることはない。例えば、青から黄までの色相で選択される２つの着色領域で緑系の色相を用いる場合は、他方は一方の緑に対して青系もしくは黄緑系の色相を用いる。
これにより、従来のRGBの着色領域よりも広範囲の色再現性を実現することができる。
【００９１】
広範囲の色再現性を色相で述べたが、以下に、着色領域を透過する波長で表現する。
青系の着色領域は、波長のピークが４１５−５００ｎｍにある着色領域、好ましくは、４３５−４８５ｎｍにある着色領域である。
赤系の着色領域は、波長のピークが６００ｎｍ以上にある着色領域で、好ましくは、６０５ｎｍ以上にある着色領域である。
青から黄までの色相で選択される一方の着色領域は、波長のピークが４８５−５３５ｎｍにある着色領域で、好ましくは、４９５−５２０ｎｍにある着色領域である。
青から黄までの色相で選択される他方の着色領域は、波長のピークが５００−５９０ｎｍにある着色領域、好ましくは５１０−５８５ｎｍにある着色領域、もしくは５３０−５６５ｎｍにある着色領域である。
【００９２】
次に、ｘ、ｙ色度図で表現する。
青系の着色領域は、ｘ≦０．１５１、ｙ≦０．０５６にある着色領域であり、好ましくは、０．１３４≦ｘ≦０．１５１、０．０３４≦ｙ≦０．０５６にある着色領域である。
赤系の着色領域は、０．６４３≦ｘ、ｙ≦０．３３３にある着色領域であり、好ましくは、０．６４３≦ｘ≦０．６９０、０．２９９≦ｙ≦０．３３３にある着色領域である。
青から黄までの色相で選択される一方の着色領域は、ｘ≦０．１６４、０．４５３≦ｙにある着色領域であり、好ましくは、０．０９８≦ｘ≦０．１６４、０．４５３≦ｙ≦０．７５９にある着色領域である。
青から黄までの色相で選択される他方の着色領域は、０．２５７≦ｘ、０．６０６≦ｙにある着色領域であり、好ましくは、０．２５７≦ｘ≦０．３５７、０．６０６≦ｙ≦０．６７０にある着色領域である。
これら４色の着色領域は、サブ画素に透過領域と反射領域を備えた場合、透過領域及び反射領域も上述した範囲で適用することができるものである。
【００９３】
上記４色の着色領域の構成の例として、以下のものがあげられる。
色相が、赤、青、緑、シアン（青緑）の着色領域
色相が、赤、青、緑、黄の着色領域
色相が、赤、青、深緑、黄の着色領域
色相が、赤、青、エメラルド、黄の着色領域
色相が、赤、青、深緑、黄緑の着色領域
色相が、赤、青緑、深緑、黄緑の着色領域
【００９４】
また、本実施形態では、複数の画素５７は、４種類の画素５７を備えたが、これに限らず、例えば３種類や６種類の画素を備えてもよい。
【００９５】
また、本実施形態では、４種類の画素の配列をストライプ配列としたが、これに限らず、例えばモザイク配列やデルタ配列であってもよい。
【００９６】
また、上述した実施形態では、本発明を液晶を用いた電気光学装置１に適用したが、これに限らず、液晶以外の電気光学物質を用いた電気光学装置にも適用できる。電気光学物質とは、電気信号（電流信号または電圧信号）の供給によって透過率や輝度といった光学的特性が変化する物質である。例えば、有機ＥＬ（Electro-Luminescent）や発光ポリマーなどのＯＬＥＤ素子を電気光学物質として用いた表示パネルや、着色された液体とこの液体に分散された白色の粒子とを含むマイクロカプセルを電気光学物質として用いた電気泳動表示パネル、極性が相違する領域毎に異なる色に塗り分けられたツイストボールを電気光学物質として用いたツイストボールディスプレイパネル、黒色トナーを電気光学物質として用いたトナーディスプレイパネル、あるいは、ヘリウムやネオン等の高圧ガスを電気光学物資として用いたプラズマディスプレイパネルなど各種の電気光学装置に対しても、上記実施形態と同様に本発明が適用され得る。
【００９７】
＜応用例＞
次に、上述した実施形態に係る電気光学装置１を適用した電子機器について説明する。
図１２は、電気光学装置１を適用した携帯電話機の構成を示す斜視図である。携帯電話機３０００は、複数の操作ボタン３００１およびスクロールボタン３００２、ならびに電気光学装置１を備える。スクロールボタン３００２を操作することによって、電気光学装置１に表示される画面がスクロールされる。
【００９８】
なお、電気光学装置１が適用される電子機器としては、図１２に示すものの他、パーソナルコンピュータ、情報携帯端末、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器などが挙げられる。そして、これらの各種電子機器の表示部として、前述した電気光学装置が適用可能である。
【図面の簡単な説明】
【００９９】
【図１】本発明の一実施形態に係る電気光学装置の構成を示すブロック図である。
【図２】前記電気光学装置を構成するＸドライバの構成を示すブロック図である。
【図３】前記電気光学装置を構成する画素の配列を示す模式図である。
【図４】前記電気光学装置を構成する赤（Ｒ）のカラーフィルタを有する画素のフレーム毎の点灯パターンを示す模式図である。
【図５】前記電気光学装置を構成する赤（Ｒ）のカラーフィルタを有する画素のカラム毎の点灯パターンを示す模式図である。
【図６】前記電気光学装置を構成する青（Ｂ）のカラーフィルタを有する画素のフレーム毎の点灯パターンを示す模式図である。
【図７】前記電気光学装置を構成する青（Ｂ）のカラーフィルタを有する画素のカラム毎の点灯パターンを示す模式図である。
【図８】前記電気光学装置を構成する緑（Ｇ）のカラーフィルタを有する画素のフレーム毎の点灯パターンを示す模式図である。
【図９】前記電気光学装置を構成する緑（Ｇ）のカラーフィルタを有する画素のカラム毎の点灯パターンを示す模式図である。
【図１０】前記電気光学装置を構成するシアン（Ｃ）のカラーフィルタを有する画素のフレーム毎の点灯パターンを示す模式図である。
【図１１】前記電気光学装置を構成するシアン（Ｃ）のカラーフィルタを有する画素のカラム毎の点灯パターンを示す模式図である。
【図１２】上述の電気光学装置を適用した携帯電話機の構成を示す斜視図である。
【符号の説明】
【０１００】
１…電気光学装置、１０…走査線、１１…走査線駆動回路、２０…データ線、２１…データ線駆動回路、２１Ａ…Ｘドライバ、４１…ＭＰＵ、５７…画素、５２…画素ブロック、６３…コマンドデコーダ、７０…ＭＰＵ側制御回路、８０…ドライバ側制御回路、９１…表示データＲＡＭ、９６…表示階調制御回路、３０００…携帯電話機（電子機器）。
【図１】
2007108615.tif 000003
【図２】
2007108615.tif 000004
【図３】
2007108615.tif 000005
【図４】
2007108615.tif 000006
【図５】
2007108615.tif 000007
【図６】
2007108615.tif 000008
【図７】
2007108615.tif 000009
【図８】
2007108615.tif 000010
【図９】
2007108615.tif 000011
【図１０】
2007108615.tif 000012
【図１１】
2007108615.tif 000013
【図１２】
2007108615.tif 000014